(57)【要約】      （修正有）【課題】原稿台に載置された複数の原稿の画像を簡単な操作により１枚のシートに任意の個数ずつ印刷することが可能な画像形成装置及び画像形成方法を提供する。【解決手段】画像読取部は、原稿台上の原稿の画像を読み取る。検出処理部は、原稿台上の原稿の枚数を検出する。受付処理部は、検出処理部により複数枚の原稿が検出された場合に、１枚のシートに印刷される原稿の画像の個数の選択操作を受け付ける。印刷処理部は、選択操作に応じて選択される個数に基づいて、画像読取部により読み取られる原稿台上の複数の原稿の画像を一又は複数のシートに印刷する。【選択図】図９
2019114962.tif 000002
【特許請求の範囲】
【請求項１】
原稿が載置される原稿台と、
前記原稿台上の原稿の画像を読み取り可能な画像読取部と、
前記原稿台上の原稿の枚数を検出する検出処理部と、
前記検出処理部により複数枚の原稿が検出された場合に、１枚のシートに印刷される原稿の画像の個数の選択操作を受け付け可能な受付処理部と、
前記選択操作に応じて選択される個数に基づいて、前記画像読取部により読み取られる前記原稿台上の複数の原稿の画像を一又は複数のシートに印刷可能な印刷処理部と、
を備える画像形成装置。
【請求項２】
前記選択操作に応じて選択される個数が１個である場合に、前記原稿の画像各々が印刷されるシートのサイズをユーザー操作に応じて個別に設定するシート設定処理部を更に備える、
請求項１に記載の画像形成装置。
【請求項３】
表示部と、
前記原稿台上の原稿各々と同じ形状の原稿選択キーを、前記原稿台における前記原稿各々の位置及び向きに対応する位置及び向きで前記表示部に表示させる表示処理部とを更に備え、
前記シート設定処理部は、いずれかの前記原稿選択キーが操作された場合に、操作された原稿選択キーに対応する原稿の画像が印刷されるシートのサイズをユーザー操作に応じて設定する、
請求項２に記載の画像形成装置。
【請求項４】
前記原稿選択キーが、対応する原稿の画像を縮小した縮小画像である、
請求項３に記載の画像形成装置。
【請求項５】
前記原稿の画像のサイズと当該画像が印刷されるシートのサイズとに基づいて、前記原稿の画像各々を自動的に変倍する変倍処理部を更に備える、
請求項１〜４のいずれかに記載の画像形成装置。
【請求項６】
前記変倍処理部は、前記選択操作に応じて選択される個数が２個以上である場合に、同一シートに印刷される複数の原稿の画像を同一倍率で変倍する、
請求項５に記載の画像形成装置。
【請求項７】
前記選択操作には、１枚のシートに前記原稿台上の全ての原稿の画像を印刷する第１印刷モード、１枚のシートに原稿の画像を１個ずつ印刷する第２印刷モード、及び１枚のシートに原稿の画像を特定個数ずつ印刷する第３印刷モードの中から印刷モードを選択する第１選択操作と、前記第１選択操作により前記第３印刷モードが選択された場合に前記特定個数を選択する第２選択操作とが含まれる、
請求項１〜６のいずれかに記載の画像形成装置。
【請求項８】
原稿台上の原稿の画像を読み取る読取ステップと、
前記原稿台上の原稿の枚数を検出する検出ステップと、
前記検出ステップにおいて複数枚の原稿が検出された場合に、１枚のシートに印刷される原稿の画像の個数の選択操作を受け付ける受付ステップと、
前記選択操作に応じて選択される個数に基づいて、前記読取ステップにおいて読み取られる前記原稿台上の複数の原稿の画像を一又は複数のシートに印刷する印刷ステップと、
を含む画像形成方法。
【発明の詳細な説明】
【技術分野】
【０００１】
本発明は、画像形成装置及び画像形成方法に関する。
【背景技術】
【０００２】
ユーザーにより選択されたレイアウトに従って複数の原稿画像を１枚のシートに集約印刷することが可能な画像形成装置が知られている（例えば、特許文献１参照）。
【先行技術文献】
【特許文献】
【０００３】
【特許文献１】特開２０１６−２１９８９０号公報
【発明の概要】
【発明が解決しようとする課題】
【０００４】
一般に、原稿台を使用して複数の原稿の画像を読み取って集約印刷する場合、ユーザーは、集約印刷のレイアウトを選択した上で、原稿台に１枚の原稿を載置しては読取開始操作を行うという作業を原稿の枚数分だけ繰り返す必要がある。
【０００５】
本発明の目的は、原稿台に載置された複数の原稿の画像を簡単な操作により１枚のシートに任意の個数ずつ印刷することが可能な画像形成装置及び画像形成方法を提供することにある。
【課題を解決するための手段】
【０００６】
本発明の一の局面に係る画像形成装置は、原稿台と、画像読取部と、検出処理部と、受付処理部と、印刷処理部と、印刷処理部とを備える。前記原稿台には原稿が載置される。前記画像読取部は、前記原稿台上の原稿の画像を読み取り可能である。前記検出処理部は、前記原稿台上の原稿の枚数を検出する。前記受付処理部は、前記検出処理部により複数枚の原稿が検出された場合に、１枚のシートに印刷される原稿の画像の個数の選択操作を受け付け可能である。前記印刷処理部は、前記選択操作に応じて選択される個数に基づいて、前記画像読取部により読み取られる前記原稿台上の複数の原稿の画像を一又は複数のシートに印刷可能である。
【０００７】
本発明の一の局面に係る画像形成方法は、読取ステップと、検出ステップと、受付ステップと、印刷ステップとを含む。前記読取ステップでは、原稿台上の原稿の画像が読み取られる。前記検出ステップでは、前記原稿台上の原稿の枚数が検出される。前記受付ステップでは、前記検出ステップにおいて複数枚の原稿が検出された場合に、１枚のシートに印刷される原稿の画像の個数の選択操作が受け付けられる。前記印刷ステップでは、前記選択操作に応じて選択される個数に基づいて、前記読取ステップにおいて読み取られる前記原稿台上の複数の原稿の画像が一又は複数のシートに印刷される。
【発明の効果】
【０００８】
本発明によれば、原稿台に載置された複数の原稿の画像を簡単な操作により１枚のシートに任意の個数ずつ印刷することが可能な画像形成装置及び画像形成方法が提供される。
【図面の簡単な説明】
【０００９】
【図１】図１は、本発明の実施形態に係る画像形成装置の構成を示す断面模式図である。
【図２】図２は、本発明の実施形態に係る画像形成装置のシステム構成を示すブロック図である。
【図３】図３は、本発明の実施形態に係る画像形成装置における原稿台上の複数の原稿を示す図である。
【図４】図４は、本発明の実施形態に係る画像形成装置で使用される印刷モード選択画面の一例を示す図である。
【図５】図５は、本発明の実施形態に係る画像形成装置で使用されるセパレートシート印刷設定画面の一例を示す図である。
【図６】図６は、本発明の実施形態に係る画像形成装置で使用されるオートフィット印刷設定画面の一例を示す図である。
【図７】図７は、本発明の実施形態に係る画像形成装置から出力されるシートの例を示す図である。
【図８】図８は、本発明の実施形態に係る画像形成装置における自動変倍機能について説明するための図である。
【図９】図９は、本発明の実施形態に係る画像形成装置で実行されるコピー処理の手順の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置の構成］
図１に示されるように、本発明の実施形態に係る画像形成装置１は、操作表示部１０、ＡＤＦ（Ａｕｔｏ  Ｄｏｃｕｍｅｎｔ  Ｆｅｅｄｅｒ）１１、画像読取部１２、画像形成部１３、通信Ｉ／Ｆ１４、記憶部１５、及び制御部１６を備える。画像形成装置１は、プリンター機能、スキャナー機能、コピー機能、及びファクシミリ機能などを有する複合機である。なお、本発明は、複合機に限らず、コピー機にも適用可能である。
【００１２】
操作表示部１０は、情報を表示する液晶ディスプレーなどの表示部と、ユーザー操作を受け付けるタッチパネル及び操作ボタンなどの操作部とを備える。
【００１３】
ＡＤＦ１１は、原稿セット部、搬送ローラー、原稿押さえ、及び排紙部を備え、画像読取部１２の読み取り対象となる原稿を搬送する自動原稿搬送装置である。
【００１４】
画像読取部１２は、原稿の画像を読み取ることが可能である。画像読取部１２は、図１に示されるように、原稿台２１、読取ユニット２２、ミラー２３、ミラー２４、光学レンズ２５、及びＣＣＤ（Ｃｈａｒｇｅ  Ｃｏｕｐｌｅｄ  Ｄｅｖｉｃｅ）２６を備える。
【００１５】
原稿台２１は、画像形成装置１の筐体の上面に設けられる。原稿台２１は、第１コンタクトガラス２１１及び第２コンタクトガラス２１２を備える。画像読取部１２は、第１コンタクトガラス２１１上に載置された原稿の画像を読み取ることが可能である。また、画像読取部１２は、ＡＤＦ１１によって搬送される原稿が第２コンタクトガラス２１２上を通過する際に、その原稿の画像を読み取ることも可能である。
【００１６】
読取ユニット２２は、原稿台２１の下側に設けられる。読取ユニット２２は、ステッピングモーター等の駆動部を有する不図示の移動機構によって、副走査方向（図１における左右方向）へ移動可能に構成されている。読取ユニット２２には光源及びミラーが設けられている。第１コンタクトガラス２１１に載置された原稿の画像が読み取られる場合、読取ユニット２２は、前記移動機構によって、前記副走査方向における前記第１コンタクトガラス２１１の一方端から他方端に向かって移動される。このとき、前記光源から射出される光が第１コンタクトガラス２１１を透過して原稿に照射される。
【００１７】
原稿で反射された光は、読取ユニット２２内の前記ミラーによって反射された後、ミラー２３及びミラー２４で反射されて、光学レンズ２５で集光されて、ＣＣＤ２６に入射する。ＣＣＤ２６は、複数の光電変換素子を有するイメージセンサーであり、受光した光の光量に応じたアナログの電気信号を出力する。ＣＣＤ２６から出力されるアナログの電気信号は、不図示のアナログフロントエンド回路によりデジタルの電気信号（画像データ）に変換されて、制御部１６に入力される。
【００１８】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１９】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００２０】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。
【００２１】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２２】
ところで、ユーザーにより選択されたレイアウトに従って複数の原稿画像を１枚のシートに集約印刷することが可能な画像形成装置が知られている。一般に、原稿台２１を使用して複数の原稿の画像を読み取って集約印刷する場合、ユーザーは、集約印刷のレイアウトを選択した上で、原稿台２１に１枚の原稿を載置しては読取開始操作を行うという作業を原稿の枚数分だけ繰り返す必要がある。これに対して、本実施形態に係る画像形成装置１によれば、原稿台２１に載置された複数の原稿の画像を簡単な操作により１枚のシートに任意の個数ずつ印刷することが可能である。
【００２３】
制御部１６は、検出処理部１６１、受付処理部１６２、印刷処理部１６３、シート設定処理部１６４、表示処理部１６５、及び変倍処理部１６６を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００２４】
検出処理部１６１は、原稿台２１上（すなわち、第１コンタクトガラス２１１上）の原稿の枚数を検出する。例えば、検出処理部１６１は、画像読取部１２から出力される画像データに対して公知のエッジ検出処理を行うことによって原稿台２１上の原稿各々の輪郭を検出し、原稿台２１上の原稿の枚数を検出する。例えば、図３に示されるように、原稿台２１（第１コンタクトガラス２１１）に５枚の原稿Ｄ１〜Ｄ５が載置されている場合、検出処理部１６１は、画像読取部１２から出力される画像データに基づいて、５枚の原稿を検出する。
【００２５】
受付処理部１６２は、検出処理部１６１により複数枚の原稿が検出された場合に、１枚のシートに印刷される原稿の画像の個数の選択操作を受け付け可能である。例えば、検出処理部１６１により５枚の原稿が検出された場合、ユーザーは、１枚のシートに印刷される原稿の画像の個数を、１〜５個の中から選択することが可能である。
【００２６】
以下、図４及び図５を参照しつつ、前記選択操作の一例について説明する。本実施形態では、検出処理部１６１により複数枚の原稿が検出された場合に、図４に示される印刷モード選択画面Ｐ１が操作表示部１０に表示される。印刷モード選択画面Ｐ１には、印刷モードを選択するための３つの操作キーＫ１１〜Ｋ１３が含まれる。
【００２７】
操作キーＫ１１は、デフォルト印刷モードを選択するための操作キーである。デフォルト印刷モードは、１枚のシートに原稿台２１上の全ての原稿の画像を印刷する印刷モードである。デフォルト印刷モードは、本発明の「第１印刷モード」の一例である。
【００２８】
操作キーＫ１２は、セパレートシート印刷モードを選択するための操作キーである。セパレートシート印刷モードは、１枚のシートに原稿の画像を１個ずつ印刷する印刷モードである。セパレートシート印刷モードは、本発明の「第２印刷モード」の一例である。
【００２９】
操作キーＫ１３は、オートフィット印刷モードを選択するための操作キーである。オートフィット印刷モードは、１枚のシートに原稿の画像を特定個数ずつ印刷する印刷モードである。オートフィット印刷モードは、本発明の「第３の印刷モード」の一例である。
【００３０】
操作キーＫ１１〜Ｋ１３のいずれかが操作（例えば、タッチ操作）されると、操作された操作キーに対応する印刷モードが選択される。操作キーＫ１１〜Ｋ１３に対する操作は、本発明の「第１選択操作」の一例である。
【００３１】
印刷モード選択画面Ｐ１において操作キーＫ１３が操作された場合、図６に示されるオートフィット印刷設定画面Ｐ３が操作表示部１０に表示される。オートフィット印刷設定画面Ｐ３には、シートサイズを選択するためのドロップダウンリストＢ３１と、１枚のシートに印刷される原稿の画像の個数を選択するためのスピンボックスＢ３２が含まれる。スピンボックスＢ３２に対する操作は、本発明の「第２選択操作」の一例である。
【００３２】
印刷処理部１６３は、前記選択操作に応じて選択される個数に基づいて、画像読取部１２により読み取られる原稿台２１上の複数の原稿の画像を一又は複数のシートに印刷可能である。例えば、印刷モード選択画面Ｐ１に含まれる操作キーＫ１２が操作された場合（すなわち、前記選択操作に応じて選択される個数が１個である場合）、印刷処理部１６３は、画像形成部１３を制御して、１枚のシートに原稿の画像を１個ずつ印刷する。また、印刷モード選択画面Ｐ１に含まれる操作キーＫ１３が操作され、オートフィット印刷設定画面Ｐ３で１枚のシートに印刷される原稿の画像の個数が選択された場合、印刷処理部１６３は、画像形成部１３を制御して、ドロップダウンリストＢ３１で選択されたサイズのシートに、原稿の画像をスピンボックスＢ３２で選択された個数ずつ印刷する。例えば、図３に示されるように原稿台２１に５枚の原稿Ｄ１〜Ｄ５が載置されており、スピンボックスＢ３２で２個が選択された場合、印刷処理部１６３は、図７に示されるように、原稿Ｄ１の画像Ｇ１と原稿Ｄ２の画像Ｇ２とをシートＳｈ１に印刷し、原稿Ｄ３の画像Ｇ３と原稿Ｄ４の画像Ｇ４とをシートＳｈ２に印刷する。そして、印刷処理部１６３は、残った原稿Ｄ５の画像Ｇ５をシートＳｈ３に印刷する。なお、オートフィット印刷設定画面Ｐ３で選択された個数の原稿の画像をシートに印刷するとはみ出してしまう場合は、印刷処理部１６３は、前記シートに印刷される原稿の画像の個数を自動的に減らしてもよい。
【００３３】
シート設定処理部１６４は、前記選択操作に応じて選択される個数が１個である場合（すなわち、セパレートシート印刷モードが選択された場合）に、前記原稿の画像各々が印刷されるシートのサイズをユーザー操作に応じて個別に設定する。本実施形態では、印刷モード選択画面Ｐ１において操作キーＫ１２が操作された場合、図５に示されるセパレートシート印刷設定画面Ｐ２が操作表示部１０に表示される。シート設定処理部１６４は、セパレートシート印刷設定画面Ｐ２に対するユーザー操作に応じて、前記原稿の画像各々が印刷されるシートのサイズを個別に設定する。
【００３４】
表示処理部１６５は、原稿台２１上の原稿各々と同じ形状の原稿選択キーを、原稿台２１における前記原稿各々の位置及び向きに対応する位置及び向きで操作表示部１０に表示させる。例えば、図３に示されるように原稿台２１に５枚の原稿Ｄ１〜Ｄ５が載置されている場合、表示処理部１６５は、これらの５枚の原稿Ｄ１〜Ｄ５に対応する５つの原稿選択キーＫ２１〜Ｋ２５を操作表示部１０に表示させる。原稿選択キーＫ２１〜Ｋ２５は、原稿台２１に対応する枠線Ｆ２１の内側に配置される。ユーザーは、枠線Ｆ２１内に配置された前記原稿選択キー各々の形状、位置、及び向きに基づいて、前記原稿選択キー各々に対応する原稿を容易に把握することができる。ユーザーは、原稿台２１に載置されている所望の原稿に対応する原稿選択キーを操作することによって、所望の原稿を選択することができる。なお、表示処理部１６５は、前記原稿選択キーとして、対応する原稿の画像を縮小した縮小画像を用いてもよい。これにより、ユーザーは、前記原稿選択キー各々に対応する原稿をさらに容易に把握することができる。
【００３５】
シート設定処理部１６４は、いずれかの前記原稿選択キーが操作された場合に、操作された原稿選択キーに対応する原稿の画像が印刷されるシートのサイズをユーザー操作に応じて設定する。具体的には、セパレートシート印刷設定画面Ｐ２には、シートサイズを選択するためのドロップダウンリストＢ２１が含まれる。前記原稿選択キーによりいずれか一つ又は複数の原稿が選択されている状態でドロップダウンリストＢ２１が操作された場合、シート設定処理部１６４は、選択されている原稿に対応するシートのサイズを、ドロップダウンリストＢ２１で選択されたシートサイズに設定する。例えば、図５に示されるように、原稿選択キーＫ２１が選択されている状態でドロップダウンリストＢ２１により「Ａ４」のシートサイズが選択された場合、シート設定処理部１６４は、原稿選択キーＫ２１に対応する原稿Ｄ１の画像が印刷されるシートのサイズを「Ａ４」に設定する。なお、図５に示される原稿選択キーＫ２１〜Ｋ２５には、シート設定処理部１６４により設定されたシートサイズが表示されている。
【００３６】
変倍処理部１６６は、前記原稿の画像のサイズと当該画像が印刷されるシートのサイズとに基づいて、前記原稿の画像各々を自動的に変倍する。図５に示されるように、セパレートシート印刷設定画面Ｐ２には、自動変倍機能を有効又は無効に切り替えるためのチェックボックスＢ２２が含まれている。また、図６に示されるように、オートフィット印刷設定画面Ｐ３には、自動変倍機能を有効又は無効に切り替えるためのチェックボックスＢ３３が含まれている。変倍処理部１６６は、自動変倍機能が有効になっている場合に、前記原稿の画像のサイズを、当該画像が印刷されるシートのサイズに応じて自動的に拡大又は縮小する。
【００３７】
なお、変倍処理部１６６は、前記選択操作に応じて選択される個数（すなわち、１枚のシートに印刷される原稿の画像の個数）が２個以上である場合に、同一シートに印刷される複数の原稿の画像を同一倍率で変倍してもよい。例えば、図８に示されるように、画像Ｇ１及び画像Ｇ２がシートＳｈ１に印刷され、画像Ｇ３及び画像Ｇ４がシートＳｈ２に印刷され、画像Ｇ５がシートＳｈ３に印刷される場合を想定する。この場合、変倍処理部１６６は、画像Ｇ１及び画像Ｇ２をα倍（ただし、αは任意の実数）で変倍する。αの値は、画像Ｇ１及び画像Ｇ２のサイズとシートＳｈ１のサイズとに基づいて自動的に決定される。また、変倍処理部１６６は、画像Ｇ３及び画像Ｇ４をβ倍（ただし、βは任意の実数）で変倍する。βの値は、画像Ｇ３及び画像Ｇ４のサイズとシートＳｈ２のサイズとに基づいて自動的に決定される。また、変倍処理部１６６は、画像Ｇ５をγ倍（ただし、γは任意の実数）で変倍する。γの値は、画像Ｇ５のサイズとシートＳｈ３のサイズとに基づいて自動的に決定される。これにより、同一シートに印刷される複数の原稿の画像の相対的な比率を維持したまま、当該複数の原稿の画像をシートサイズに応じて自動的に変倍することができる。
【００３８】
なお、他の実施形態では、変倍処理部１６６は、全ての原稿の画像を共通の倍率で変倍してもよい。例えば、変倍処理部１６６は、上記のようにして個別に決定される前記αの値、前記βの値、及び前記γの値の最小値の倍率で、全ての原稿の画像を変倍してもよい。これにより、全ての原稿の画像の相対的な比率を維持したまま、当該全ての原稿の画像をシートサイズに応じて自動的に変倍することができる。
【００３９】
［コピー処理］
次に、図９を参照しつつ、制御部１６によって実行されるコピー処理の手順の一例について説明する。ここで、ステップＳ１，Ｓ２，・・・は、制御部１６により実行される処理手順（ステップ）の番号を表している。なお、前記コピー処理は、例えば、操作表示部１０に表示される不図示のコピー開始キーが操作されたことに応じて開始される。
【００４０】
＜ステップＳ１＞
まず、ステップＳ１において、制御部１６は、画像読取部１２を制御して、原稿台２１（第１コンタクトガラス２１１）に載置された一又は複数の原稿の画像を読み取る。当該ステップＳ１は、本発明の「読取ステップ」の一例である。
【００４１】
＜ステップＳ２＞
ステップＳ２において、制御部１６は、原稿台２１上の原稿の枚数を検出する。当該ステップＳ２の処理は制御部１６の検出処理部１６１により実行される。当該ステップＳ２は、本発明の「検出ステップ」の一例である。
【００４２】
＜ステップＳ３＞
ステップＳ３において、制御部１６は、前記ステップＳ２において検出された原稿台２１上の原稿の枚数が２枚以上であるか否かを判断する。そして、原稿台２１上の原稿の枚数が２枚以上であると判断されると（Ｓ３：Ｙｅｓ）、処理がステップＳ４に移行する。一方、原稿台２１上の原稿の枚数が１枚であると判断されると（Ｓ３：Ｎｏ）、処理がステップＳ６に移行する。
【００４３】
＜ステップＳ４＞
ステップＳ４において、制御部１６は、図４に示される印刷モード選択画面Ｐ１を操作表示部１０に表示させて、印刷モードの選択操作を受け付ける。当該ステップＳ４の処理は、制御部１６の受付処理部１６２により実行される。当該ステップＳ４は、本発明の「受付ステップ」の一例である。
【００４４】
＜ステップＳ５＞
ステップＳ５において、制御部１６は、印刷モード選択画面Ｐ１に含まれるデフォルト印刷モードに対応する操作キーＫ１１が操作されたか否かを判断する。そして、デフォルト印刷モードに対応する操作キーＫ１１が操作されたと判断されると（Ｓ５：Ｙｅｓ）、処理がステップＳ６に移行する。一方、デフォルト印刷モードに対応する操作キーＫ１１とは異なる操作キーが操作されたと判断されると（Ｓ５：Ｎｏ）、処理がステップＳ７に移行する。
【００４５】
＜ステップＳ６＞
ステップＳ６において、制御部１６は、デフォルト印刷処理を実行する。すなわち、制御部１６は、画像形成部１３を制御して、原稿台２１に載置されている一又は複数の原稿の画像の全体を１枚のシートに印刷する。そして、前記コピー処理が終了される。
【００４６】
＜ステップＳ７＞
一方、ステップＳ７において、制御部１６は、印刷モード選択画面Ｐ１に含まれるセパレートシート印刷モードに対応する操作キーＫ１２が操作されたか否かを判断する。そして、セパレートシート印刷モードに対応する操作キーＫ１２が操作されたと判断されると（Ｓ７：Ｙｅｓ）、処理がステップＳ８に移行する。一方、オートフィット印刷モードに対応する操作キーＫ１３が操作されたと判断されると（Ｓ７：Ｎｏ）、処理がステップＳ１０に移行する。
【００４７】
＜ステップＳ８＞
ステップＳ８において、制御部１６は、図５に示されるセパレートシート印刷設定画面Ｐ２を操作表示部１０に表示させて、原稿の画像各々が印刷されるシートのサイズをユーザー操作に応じて個別に設定する。当該ステップＳ８の処理は、制御部１６の表示処理部１６５及びシート設定処理部１６４により実行される。セパレートシート印刷設定画面Ｐ２に含まれる印刷キーＫ２６が操作されると、処理がステップＳ９に移行する。
【００４８】
＜ステップＳ９＞
ステップＳ９において、制御部１６は、セパレートシート印刷処理を実行する。すなわち、制御部１６は、画像形成部１３を制御して、セパレートシート設定画面Ｐ２を通じて設定されたサイズのシートに、原稿台２１に載置されている複数の原稿の画像を１個ずつ印刷する。そして、前記コピー処理が終了される。当該ステップＳ９の処理は、制御部１６の印刷処理部１６３により実行される。当該ステップＳ９は、本発明の「印刷ステップ」の一例である。
【００４９】
＜ステップＳ１０＞
ステップＳ１０において、制御部１６は、図６に示されるオートフィット印刷設定画面Ｐ３を操作表示部１０に表示させて、シートサイズの選択操作と、１枚のシートに印刷される原稿の個数の選択操作とを受け付ける。当該ステップＳ１０は、本発明の「受付ステップ」の一例である。オートフィット印刷設定画面Ｐ３に含まれる印刷キーＫ３１が操作されると、処理がステップＳ１１に移行する。
【００５０】
＜ステップＳ１１＞
ステップＳ１１において、制御部１６は、オートフィット印刷処理を実行する。すなわち、制御部１６は、画像形成部１３を制御して、オートフィット印刷設定画面Ｐ３を通じて設定されたサイズのシートに、原稿台２１に載置されている複数の原稿の画像を、オートフィット印刷設定画面Ｐ３を通じて設定された個数ずつ印刷する。そして、前記コピー処理が終了される。当該ステップＳ１１の処理は、制御部１６の印刷処理部１６３により実行される。当該ステップＳ１１は、本発明の「印刷ステップ」の一例である。
【００５１】
以上のように、本実施形態に係る画像形成装置１では、複数枚の原稿が検出された場合に、１枚のシートに印刷される原稿の画像の個数の選択操作が受け付けられる。そして、選択操作に応じて選択される個数に基づいて、画像読取部１２により読み取られる原稿台２１上の複数の原稿の画像が一又は複数のシートに印刷される。よって、本実施形態に係る画像形成装置１によれば、原稿台２１に載置された複数の原稿の画像を簡単な操作により１枚のシートに任意の個数ずつ印刷することが可能である。
【００５２】
［変形例］
なお、本実施形態では、セパレートシート印刷モードにおいて、シートのサイズをシートごとに個別に設定することが可能であるが、他の実施形態では、オートフィット印刷モードにおいても、シートのサイズをシートごとに個別に設定できるように構成されてもよい。
【００５３】
また、本実施形態では、オートフィット印刷モードにおいて、各シートに印刷される原稿の画像と、当該画像の位置、向き、及び倍率が自動的に決定されるが、他の実施形態では、各シートに印刷される原稿の画像と、当該画像の位置、向き、及び倍率をユーザーが任意に指定できるように構成されてもよい。この場合、図５に示される原稿選択キーＫ２１〜Ｋ２５のような原稿選択キーが操作表示部１０に表示されて、当該原稿選択キーに対する操作（例えば、ドラッグ操作、ピンチイン操作、ピンチアウト操作、回転操作など）に応じて、対応する原稿の画像の位置、向き、及び倍率が変更されてもよい。
【符号の説明】
【００５４】
１  画像形成装置
１０  操作表示部
１２  画像読取部
１３  画像形成部
１６  制御部
２１  原稿台
１６１  検出処理部
１６２  受付処理部
１６３  印刷処理部
１６４  シート設定処理部
１６５  表示処理部
１６６  変倍処理部
【図１】
2019114962.tif 000003
【図２】
2019114962.tif 000004
【図３】
2019114962.tif 000005
【図４】
2019114962.tif 000006
【図５】
2019114962.tif 000007
【図６】
2019114962.tif 000008
【図７】
2019114962.tif 000009
【図８】
2019114962.tif 000010
【図９】
2019114962.tif 000011